(57)【要約】【課題】  発光装置の強度を低減させたり、電気配線に与える屈曲負荷を増大させたりすることなく、小型化を実現する。【解決手段】  発光手段と、前記発光手段に接続される電気配線と、前記発光手段と第１軸部を介して連結され、前記第１軸部を中心にして前記発光手段と相対的に回動可能な連結部材と、前記連結部材よりも厚さが薄く、前記電気配線を保護する第１の保護部材及び第２の保護部材と、を有し、前記電気配線の一部は、前記連結部材に設けられた切欠き部を通り、前記第１の保護部材と前記第２の保護部材の間に位置する。【選択図】  図４
2019200245.tif 000002
【特許請求の範囲】
【請求項１】
発光手段と、
前記発光手段に接続される電気配線と、
前記発光手段と第１軸部を介して連結され、前記第１軸部を中心にして前記発光手段と相対的に回動可能な連結部材と、
前記電気配線を保護する第１の保護部材及び第２の保護部材と、を有し、
前記電気配線の一部は、前記連結部材に設けられた切欠き部を通り、前記第１の保護部材と前記第２の保護部材の間に位置することを特徴とする発光装置。
【請求項２】
前記連結部材の厚さは、前記第１の保護部材及び前記第２の保護部材よりも厚いことを特徴とする請求項１に記載の発光装置。
【請求項３】
前記第１の保護部材及び第２の保護部材は、前記連結部材の切り欠かれた側の端近傍において前記切欠き部を挟んだ複数の位置で互いに固定されることを特徴とする請求項１または２に記載の発光装置。
【請求項４】
前記切欠き部の端と前記電気配線との間に前記第１の保護部材及び第２の保護部材の一方が位置していることを特徴とする請求項１ないし３のいずれか１項に記載の発光装置。
【請求項５】
前記第１の保護部材及び第２の保護部材は、前記切欠き部を挟むように配置されていて、前記切欠き部を挟む位置における前記第１の保護部材と第２の保護部材の間の幅は、前記電気配線の厚さよりも広いことを特徴とする請求項１ないし４のいずれか１項に記載の発光装置。
【請求項６】
請求項１ないし５のいずれか１項に記載の発光装置と、
前記連結部材と第２軸部を介して連結され、前記第２軸部を中心にして前記連結部材と相対的に回動可能な本体部と、を有することを特徴とする撮像装置。
【請求項７】
前記連結部材は、前記第２軸部よりも前記第１軸部に近い端に前記切欠き部が設けられていることを特徴とする請求項６に記載の撮像装置。
【請求項８】
前記発光手段は、前記本体部内に収納される収納位置と前記本体部から突出する発光位置とに移動可能であって、
前記発光手段と前記切欠き部は、前記発光手段が前記収納位置に位置する状態において、前記撮像装置の上下方向に並ぶことを特徴とする請求項６または７に記載の撮像装置。
【請求項９】
前記切欠き部は、前記発光手段が前記収納位置に位置する状態において、前記発光手段の発光面よりも前記撮像装置の背面側に位置することを特徴とする請求項６ないし８のいずれか１項に記載の撮像装置。
【発明の詳細な説明】
【技術分野】
【０００１】
本発明は、発光部が回動可能な発光装置に関する。
【背景技術】
【０００２】
デジタルカメラ等の撮像装置では、発光部を装置本体の内部に収納される収納位置と装置本体から突出した発光位置との間で移動させる、所謂ポップアップ式の発光装置を備えるものがある。
【０００３】
ところで、このような発光装置では、レンズ鏡筒が比較的大径の小型のデジタルカメラ等の場合、発光部からの照射光がレンズ鏡筒で遮られて被写体に届かなくなる、所謂ケラレを防止する必要がある。そこで、例えば特許文献１には、発光部を装置本体の収納位置から発光位置に移動させる機構として、コンパクトな収納状態と大きな突出量を両立させるため、２軸リンク機構を用いて発光部を装置本体からより高く被写体側へ位置させる技術が提案されている。
【先行技術文献】
【特許文献】
【０００４】
【特許文献１】特開２０１５−１１８３１９号公報
【発明の概要】
【発明が解決しようとする課題】
【０００５】
このような展開機構においては、発光部への電力供給は発光部に接続されたフレキシブル基板によって行うのが一般的である。発光部から装置本体内部に接続されるフレキシブル基板の経路はリンク部材とフレキシブル基板保護部材の間の空間に設けられている。
【０００６】
発光部を装置本体に収納した収納状態において発光装置が占める高さ方向（上下方向）のスペースは、発光部、リンク部材、フレキシブル基板経路、保護部材の厚みを積み上げたものとなる。
【０００７】
より小型なカメラを供給するため、発光ユニットの高さ方向のスペースを小さくするには、例えば、リンク部材の厚みを薄くしたり、フレキシブル基板経路を狭くしたりする必要がある。
【０００８】
しかし、リンク部材の厚みを薄くすると展開時の発光ユニットの強度が保てなくなったり、フレキシブル基板経路を狭くすると収納・展開時にフレキシブル基板に与える屈曲負荷が大きくなり、疲労によって破断しやすくなったりする問題が生じる。
【０００９】
そこで、本発明の目的は、発光装置の強度を低減させたり、電気配線に与える屈曲負荷を増大させたりすることなく、小型化を実現した発光装置及び撮像装置を提供することである。
【課題を解決するための手段】
【００１０】
上記目的を達成するために、本発明にかかる発光装置は、発光手段と、前記発光手段に接続される電気配線と、前記発光手段と第１軸部を介して連結され、前記第１軸部を中心にして前記発光手段と相対的に回動可能な連結部材と、前記連結部材よりも厚さが薄く、前記電気配線を保護する第１の保護部材及び第２の保護部材と、を有し、前記電気配線の一部は、前記連結部材に設けられた切欠き部を通り、前記第１の保護部材と前記第２の保護部材の間に位置することを特徴とする。
【発明の効果】
【００１１】
本発明によれば、発光装置の強度を低減させたり、電気配線に与える屈曲負荷を増大させたりすることなく、装置の小型化を実現することができる。
【図面の簡単な説明】
【００１２】
【図１】本発明の実施形態にかかる撮像装置であるデジタルカメラの正面斜視図である。
【図２】本発明の実施形態にかかる発光装置の全体斜視図である。
【図３】本発明の実施形態にかかる発光装置の分解斜視図である。
【図４】本発明の実施形態にかかる発光装置におけるフレキシブル基板の経路を示す発光装置近傍の断面図である。
【発明を実施するための形態】
【００１３】
以下、図面を参照して、本発明の実施形態の一例を説明する。図１は、本発明の実施形態にかかる撮像装置であるデジタルカメラの正面斜視図である。図１（ａ）は、デジタルカメラを正面側（被写体側）から見た、発光部が収納位置に位置する状態を示す斜視図、図１（ｂ）は、図１（ａ）に示すデジタルカメラの発光部が発光位置に位置する状態を示す斜視図である。
【００１４】
本実施形態のデジタルカメラは、図１に示すようにカメラ本体１の上面部に、レリーズボタン１ｂ、発光装置２、及びロック解除スイッチ３等が設けられている。
【００１５】
発光装置２は、発光部４を有しており、発光部４は、カメラ本体１内に設けられた収納位置とカメラ本体１から突出した発光位置との間を移動可能に設けられている。収納位置では、発光部４は、後述するトーションばね１３、１４（図２参照）により発光位置に向けて付勢された状態でロックされ、発光部４の上面が他の外装よりも突出しない。
【００１６】
この状態（収納状態）で、ユーザがロック解除スイッチ３を操作すると、発光部４のロックが解除され、発光部４がトーションばね１３、１４の付勢力により発光位置に向けて移動して図１（ｂ）に示す状態となる。なお、ロック解除スイッチ３の位置はカメラ本体１の上面部でなくてもよいし、ユーザがロック解除スイッチを操作することなく自動的にロック解除させる構成でもよい。
【００１７】
次に、図２、図３を用いて発光装置２の構成について詳細に説明する。図２は、発光装置２の全体図斜視図であり、図２（ａ）は、発光位置に位置する状態の発光装置２をカメラ本体１の正面側から見た斜視図、図２（ｂ）は、発光装置２をカメラ本体１の背面側から見た斜視図である。図３は、発光装置２の正面側から見た分解斜視図である。
【００１８】
図２及び図３において、リンク部材（連結部材）５は、第２軸部６によってカメラ本体１と相対的に回動可能に連結され、発光部４は、第１軸部７によってリンク部材５と相対的に回動可能に連結されている。
【００１９】
発光部４は、光源であるキセノン管、キセノン管から発せられた光を被写体方向へ反射させる反射傘、配光を調整する光学部材であるフレネルレンズ等から構成される発光ユニット８と、発光ユニット８を収納する保持部材９とを備えている。
【００２０】
第２軸部６には、第１トーションばね１３が挿通され、第１トーションばね１３の一方の端部は、カメラ本体１に係合され、他方の端部は、リンク部材５に係合されている。第１トーションばね１３は、リンク部材５をカメラ本体１の左右方向と略平行な第２軸部６を中心に収納位置から発光位置に向けて付勢する。
【００２１】
第１軸部７には、第２トーションばね１４が挿通され、第２トーションばね１３の一方の端部は、リンク部材５に係合され、他方の端部は、発光部４の保持部材９に係合されている。第２トーションばね１４は、発光部４をカメラ本体１の左右方向と略平行な第１軸部７を中心に収納位置から発光位置に向けて付勢する。なお、発光部４を収納位置と発光位置とに移動させる構成は上記の構成に限定されず、リンク部材を２つ連結させた構成やトーションばねとは異なる付勢部材を用いた構成でもよい。
【００２２】
発光ユニット８には、カメラ本体１内の電源から発光ユニット８に電力を供給する電気配線であるフレキシブル基板１０が接続されている。フレキシブル基板１０の発光ユニット８に接続された端１０ａとは反対側の端１０ｂは、カメラ本体１内のストロボ駆動基板に接続されている。
【００２３】
リンク部材５には、第２軸部６及び第１軸部７の軸方向と略平行な方向において、フレキシブル基板１０の幅より広い幅Ｈの切欠き部５ａが設けられていて、フレキシブル基板１０の一部は切欠き部５ａの空間を通る。
【００２４】
切欠き部５ａを通るフレキシブル基板１０に隣接して、前側に第１フレキカバー１１が、後ろ側に第２フレキカバー１２が設けられており、第１フレキカバー１１と第２フレキカバー１２の間にフレキシブル基板１０の一部が通る経路が形成されている。すなわち、第１フレキカバー１１と第２フレキカバー１２は、フレキシブル基板１０を保護する役割を果たす。なお、本実施形態では、リンク部材５の厚さは、フレキシブル基板１０、第１フレキカバー１１、第２フレキカバー１２よりも厚い。
【００２５】
第１のフレキカバー１１および第２のフレキカバー１２は、ねじ１５によってリンク部材５に共締めで固定されている。ねじ１５による固定は、リンク部材５の切り欠かれた側（図３では上側）の端近傍に、切欠き部５ａを挟んだ複数個所（例えば２箇所）で行われる。このような位置で固定を行うことにより、リンク部材５は、切欠き部５ａによって失われた強度を、第１のフレキカバー１１および第２のフレキカバー１２で補うことができる。
【００２６】
図４は、発光装置２におけるフレキシブル基板１０の経路を示す、発光装置２近傍の断面図であり、図４（ａ）は収納位置に位置する状態の断面図、図４（ｂ）は発光位置に位置する状態の断面図である。図４における右側がカメラ本体１の正面側（被写体側）である。
【００２７】
図４（ａ）に示す収納位置において、リンク部材５は発光ユニット８の発光面８ａの略真下よりカメラ本体１の背面側に切欠き部５ａが設けられていて、フレキシブル基板１０の発光部４の真下のおける位置は、切欠き部５ａの空間内となる。すなわち、発光部４と切欠き部５ａは、カメラ本体１の上下方向に並んでいる。図４において、発光面８ａは、フレネルレンズの透過する光を射出する射出面である。なお、フレネルレンズよりも外部に保護部材などが配置される構成では、保護部材の外部露出面が発光面８ａである。
【００２８】
また、図４（ａ）に示す収納位置においては、第１のフレキカバー１１はフレキシブル基板１０の上側に隣接しており、第２のフレキカバー１２はフレキシブル基板１０の下側に隣接している。第１フレキカバー１１と第２フレキカバー１２の間隔が狭いと、フレキカバーにフレキシブル基板１０が狭持固定されてしまい、発光部４が発光位置と収納位置と移動する際に、フレキシブル基板１０に発生する屈曲負荷が大きくなってしまう。
【００２９】
上記の実施形態では、第１フレキカバー１１と第２フレキカバー１２の間の幅Ｔはリンク部材５の厚さとほぼ同等であるため、フレキシブル基板１０の厚さに対して２倍以上の空間が第１フレキカバー１１と第２フレキカバー１２の間確保されている。
【００３０】
そのため、発光部４が発光位置と収納位置を移動する際に、フレキシブル基板１０は第１フレキカバー１１と第２フレキカバー１２の間を自由に動くことができる、フレキシブル基板１０に過度の屈曲負荷が発生するようなことはない。
【００３１】
さらに、リンク部材５における切欠き部５ａの端である端面５ｂにフレキシブル基板１０が接するおそれがあるが、第２のフレキカバー１２がフレキシブル基板１０と端面５ｂの間に保護形状１２ａを延伸させている。保護形状１２ａにより、フレキシブル基板１０と端面５ｂが接することがなく、端面５ｂによりフレキシブル基板１０が傷つくことを防止している。
【００３２】
以上説明したように、本実施形態では、リンク部材５を切り欠いて、切り欠かれた空間にフレキシブル基板１０を通すことで、収納位置における発光装置２の高さ方向のスペースの小型化を実現している。
【００３３】
そして、リンク部材５が切り欠かれることによって低減した強度を、第１のフレキカバー１１および第２のフレキカバー１２をリンク部材５に共締めすることによって補強している。
【００３４】
なお、本発明の構成は、上記実施形態に例示したものに限定されるものではなく、材質、形状、寸法、形態、数、配置箇所等は、本発明の要旨を逸脱しない範囲において適宜変更可能である。
【００３５】
また、上記の実施形態では、発光装置２がカメラ本体１に連結された撮像装置の例を説明したが、発光装置が本体部内の収納位置と本体部から突出した位置に移動可能な構成であれば、撮像装置以外の機器であってもよい。
【符号の説明】
【００３６】
１  カメラ本体
２  発光装置
４  発光部
５  リンク部材
５ａ  切欠き部
５ｂ  端面
８  発光ユニット
８ａ  発光面
１０  フレキシブル基板
１１  第１のフレキカバー
１２  第２のフレキカバー
【図１】
2019200245.tif 000003
【図２】
2019200245.tif 000004
【図３】
2019200245.tif 000005
【図４】
2019200245.tif 000006